(57)【要約】【課題】伸縮可能なカセット形態を採った上で、収納済み紙幣へのアクセスを制限してセキュリティー対策が可能な新たな紙幣収納手法を提供する。【解決手段】紙幣収納装置１は、紙幣カセット６を構成する紙幣収納体９の上端に紙幣取込部８を装着し、紙幣収納体９の下端に下端装着体２０を装着する。紙幣カセット６は、紙幣収納体９の外側において、紙幣取込部８から下端装着体２０に掛けてワイヤー１２を延ばし、紙幣収納体９をループ状にワイヤー１２で取り囲む。その上で、このワイヤー１２を昇降台１３の上昇に合わせて紙幣取込部８にて巻き取る。【選択図】図５
2016015003.tif 000002
【特許請求の範囲】
【請求項１】
紙幣収納装置であって、
紙幣を収納する紙幣カセットと、
該紙幣カセットを脱着可能に収容する収容部とを備え、
前記紙幣カセットは、
内部に紙幣を集積して収納するよう伸縮可能な紙幣収納体と、
該紙幣収納体の伸縮方向に沿った上端に装着されて前記紙幣収納体への紙幣の取込を行い、前記収容部にセットされて前記紙幣収納体を保持する紙幣取込部と、
前記紙幣収納体の伸縮方向に沿った下端に装着され、前記紙幣収納体に取り込まれた紙幣と前記紙幣収納体とを受け止める下端装着体と、
前記紙幣収納体の外側において、前記紙幣取込部から前記下端装着体に掛けて延びる長尺材と、
前記紙幣収納体の伸縮に合わせた前記長尺材の巻取と繰り出しとを行う巻取部とを備える、紙幣収納装置。
【請求項２】
請求項１に記載の紙幣収納装置であって、
前記長尺材は、一端が前記紙幣取込部に固定されて前記下端装着体を経由して前記紙幣収納体をループ状に取り囲み、他端において前記巻取部に巻き取られる、紙幣収納装置。
【請求項３】
請求項２に記載の紙幣収納装置であって、
少なくとも２本の前記長尺材を、前記紙幣収納体に収納された紙幣の長手方向の異なる箇所に備える、紙幣収納装置。
【請求項４】
請求項１から請求項３のいずれか一項に記載の紙幣収納装置であって、
前記巻取部は、前記紙幣収納体への紙幣の収納完了時において、前記紙幣収納体に収納済み紙幣が圧縮されるように前記長尺材を巻き取ってロックする、紙幣収納装置。
【請求項５】
請求項１から請求項４のいずれか一項に記載の紙幣収納装置であって、
前記収容部は、
前記下端装着体を貫通して前記紙幣取込部の側に延び前記下端装着体の昇降をガイドする複数のガイドシャフトを、前記紙幣取込部から前記紙幣収納体に取り込まれた紙幣を取り囲むように配置して備える、紙幣収納装置。
【請求項６】
請求項１から請求項５のいずれか一項に記載の紙幣収納装置であって、
前記収容部は、前記紙幣カセットの前記下端装着体を受け止めて昇降する昇降台を備え、該昇降台を前記紙幣収納体への紙幣の収納が進むにつれて降下させ、
前記紙幣カセットの前記巻取部は、前記前記昇降台の降下に伴って前記長尺材を送り出す、紙幣収納装置。
【請求項７】
紙幣を収納する紙幣カセットであって、
内部に紙幣を集積して収納するよう伸縮可能な紙幣収納体と、
該紙幣収納体の伸縮方向に沿った上端に装着されて前記紙幣収納体への紙幣の取込を行い、前記紙幣収納体を紙幣収納体上端で保持する紙幣取込部と、
前記紙幣収納体の伸縮方向に沿った下端に装着され、前記紙幣収納体に取り込まれた紙幣と前記紙幣収納体とを受け止める下端装着体と、
前記紙幣収納体の外側において、前記紙幣取込部から前記下端装着体に掛けて延びる長尺材と、
前記紙幣収納体の伸縮に合わせた前記長尺材の巻取と繰り出しとを行う巻取部とを備える、紙幣カセット。
【発明の詳細な説明】
【技術分野】
【０００１】
本発明は、紙幣収納装置に関するものである。
【背景技術】
【０００２】
従来、紙幣収納装置は、小売店等の店舗に設置され、店舗の売上げとして入金された紙幣を収納する。紙幣は、紙幣収納装置の中に設けられた紙幣カセットに収納される。
【０００３】
紙幣カセットとしては、鋼板製の箱型のものが主流であったものの、紙幣運搬時の労力軽減を図って運搬効率を高めるため、柔軟で強靱性をも備えた伸縮自在の袋状の紙幣カセットが提案されている（例えば、特許文献１）。そして、袋状の紙幣カセットへの紙幣充填を担保するため、紙幣カセットの内部において、紙幣収納機構を昇降自在に備え付けている。
【先行技術文献】
【特許文献】
【０００４】
【特許文献１】特開平１０−２０８１０８号公報
【発明の概要】
【発明が解決しようとする課題】
【０００５】
特許文献１で提案された紙幣収納装置は、紙幣運搬時の労力軽減を図ることができるとは言え、紙幣収納過程は元より、紙幣収納完了状態において、紙幣カセットの上縁を開口状態としている。このため、紙幣収納装置から紙幣を回収する係員が容易に紙幣に触れることができ、防犯上の課題があった。
【０００６】
また、紙幣収納完了後には、紙幣収納機構を紙幣カセットの取り出しに支障が無いよう退避させる退避スペースが必要である。そして、退避スペースの確保は紙幣カセットの容積の低減、延いては紙幣収納枚数の低減に繋がる。こうしたことから、紙幣カセットの容積維持などが望まれていた。
【課題を解決するための手段】
【０００７】
本発明は、上述の課題の少なくとも一部を解決するためになされたものであり、次の形態として実現することが可能である。本発明の形態は、
紙幣を収納する紙幣カセットと、
該紙幣カセットを脱着可能に収容する収容部とを備え、
前記紙幣カセットは、
内部に紙幣を集積して収納するよう伸縮可能な紙幣収納体と、
該紙幣収納体の伸縮方向に沿った上端に装着されて前記紙幣収納体への紙幣の取込を行い、前記収容部にセットされて前記紙幣収納体を保持する紙幣取込部と、
前記紙幣収納体の伸縮方向に沿った下端に装着され、前記紙幣収納体に取り込まれた紙幣と前記紙幣収納体とを受け止める下端装着体と、
前記紙幣収納体の外側において、前記紙幣取込部から前記下端装着体に掛けて延びる長尺材と、
前記紙幣収納体の伸縮に合わせた前記長尺材の巻取と繰り出しとを行う巻取部とを備える。
【発明の効果】
【０００８】
上記形態の紙幣収納装置によれば、紙幣カセットが備える紙幣収納体への紙幣収納が進むにつれて紙幣収納体は伸び、この伸びに合わせた長尺材の繰り出しを行うことで、紙幣収納体にこの紙幣収納体を伸張させつつ紙幣を収納できる。これに加え、長尺材の巻取や繰り出しを止めることで、紙幣収納体をその伸縮状態を維持したまま、長尺材により紙幣取込部や下端装着体と一体とできる。紙幣収納体に収納済みの紙幣へのアクセスは、紙幣収納体上端に装着された紙幣取込部により制限される。この結果、上記形態の紙幣収納装置によれば、伸縮可能なカセット形態を採った上で、収納済み紙幣へのアクセスを制限してセキュリティー対策が可能となる。しかも、紙幣収納体への紙幣の取込と収納は、紙幣収納体に装着済みの紙幣取込部でなされるので、機器退避のためのスペースが不要となり、紙幣カセットの容積確保、延いては紙幣収納能力の維持もしくは向上が可能となる。
上記した以外の課題、並びにこれを解決する構成および効果は、以下の実施形態の説明により明らかにされる。
【図面の簡単な説明】
【０００９】
【図１】本実施形態の紙幣収納装置１を模式的に示す説明図である。
【図２】紙幣カセット６の概略構成を示した説明図である。
【図３】ワイヤー１２の配設の様子を紙幣カセット６を透視して概略的に示す説明図である。
【図４】ワイヤー１２の配設の様子を紙幣収納体９に収納済み紙幣Ｂや紙幣ガイドシャフト１４と関連付けて示す説明図である。
【図５】収容部４０に紙幣カセット６がセットされた状態を模式的に示す説明図である。
【図６】入金時の紙幣収納装置１の動作を示す説明図である。
【図７】収容部４０における紙幣カセット６の状態を紙幣収納の推移と共に示す説明図である。
【図８】集積紙幣を取り除いた空の紙幣カセット６の様子を概略的に示す説明図である。
【図９】他の実施形態の紙幣カセット６におけるワイヤー１２の配設の様子を紙幣カセット６を透視して概略的に示す説明図である。
【図１０】また別の実施形態の紙幣カセット６Ａとこれを収容する収容部４０Ａとを図５相当に模式的に示す説明図である。
【図１１】収容部４０Ａにおける紙幣カセット６Ａの状態を紙幣収納の推移と共に示す説明図である。
【図１２】変形例の紙幣カセット６Ｂを図３相当に概略的に示す説明図である。
【発明を実施するための形態】
【００１０】
以下、本発明の実施の形態について、図面に基づき説明する。本実施形態の紙幣収納装置１は、小売店等の店舗内に設置され、その店舗の売上げで入金した紙幣や硬貨等の現金を収納するが、銀行や大規模店舗、駅構内に設置された自動取引装置（ＡＴＭ：Automated Teller Machine）等における紙幣収納にも適用できる。
【００１１】
図１は本実施形態の紙幣収納装置１を模式的に示す説明図である。紙幣収納装置１は、小売店や飲食店などの店舗内に設置され、売上金などの紙幣、硬貨を入金、保管することを目的とした装置である。紙幣収納装置１は、紙幣の計数処理を行う紙幣計数部２と、硬貨の計数処理を行う硬貨計数部３と、計数した紙幣、硬貨を収納する保管部４と、各ユニットを制御する本体制御部５とを備える。保管部４は、その内部の収容部４０に、紙幣を収納するための紙幣カセット６と、硬貨を収納するための硬貨カセット７とを着脱可能に収容する。保管部４は、装置前面の側において、通常は施錠されているが、カセットを回収する係員により施錠が解除され、収容部４０は、装置手前に引き出すことが可能で、各カセットを交換することができるようになっている。なお、本実施例では保管部４と紙幣カセット６に本発明の紙幣取扱装置を適用している。
【００１２】
図２は紙幣カセット６の概略構成を示した説明図である。図２（a）は、紙幣カセット６を斜め上方から斜視して示し、図２（ｂ）は、図２（a）の紙幣カセット６の天地を逆転させた状態を斜め上方から斜視して示す。
【００１３】
紙幣カセット６は、紙幣収納体９と、紙幣取込部８と、下端装着体２０とを備える。紙幣収納体９は、蛇腹構造を採って伸縮し、内部に紙幣収納が可能とされている。この紙幣収納体９は、柔軟性があり伸縮可能な素材で、かつ紙幣を収納した際の重量に耐えうる強さを有した素材で形成されている。本実施形態では、この紙幣収納体９を、ナイロン製の縫製布を蛇腹状に折癖を付けて形成した。紙幣取込部８は、紙幣収納体９の伸縮方向に沿った上端に装着されて、この紙幣収納体９への紙幣Ｂの搬送取り込みを行う。また、この紙幣取込部８は、後述の収容部４０に対する紙幣カセット６の着脱に関与し、収容部４０にセットされて紙幣カセット６、詳しくは紙幣収納体９を保持する。
【００１４】
図２（a）に示すとおり、紙幣取込部８は、開口部３１と、取手１０と、貫通穴２７とを備える。本実施形態において、紙幣取込部８は、金属により形成されるが、樹脂により形成されてもよい。本実施形態において、紙幣取込部８は、複数のリベット等で紙幣収納体９の上端に固定されており、容易に取り外しできない構造となっている。
【００１５】
開口部３１は、紙幣Ｂを紙幣取込部８に搬送するための挿入孔である。本実施形態において、開口部３１は、長辺が１７０ｍｍで、短辺が５ｍｍであり、図示するように、紙幣Ｂは長手方向を横にして、開口部３１に挿入される。開口部３１は上記サイズであるため、開口部３１から紙幣Ｂが紙幣取込部８から抜き出される可能性を低減できる。
【００１６】
取手１０は、紙幣取込部８の上方側一方端部において紙幣取込部８の上面から側面に掛けてくりぬき形成され、係員が紙幣カセット６を収容部４０へ出し入れする際に把持されて使用される。貫通穴２７は、センサー光を通過させるための穴であるが、詳しくは後述する。
【００１７】
下端装着体２０は、紙幣収納体９の伸縮方向に沿った下端に装着され、紙幣収納体９に取り込まれて収納された紙幣Ｂを、紙幣収納体９ごと受け止める。本実施形態において下端装着体２０は、金属により形成されるが、樹脂により形成されてもよい。本実施形態において、下端装着体２０は、複数のリベット等で紙幣収納体９の下端に固定され、容易に取り外しできない構造となっている。
【００１８】
図２（ｂ）に示すとおり、下端装着体２０は、ボールキャッチ１１と、複数の穴１４Ａと、回収扉１７と、シリンダ錠１８とを備える。
【００１９】
ボールキャッチ１１は、収容部４０に設けられた後述の昇降台１３のボールキャッチ受け１９と連結するために設けられている。複数の穴１４Ａは、紙幣カセット６の下端装着体２０を貫通して形成されている。穴１４Ａは、収容部４０に設けられた後述の紙幣ガイドシャフト１４を挿入するための穴であるが、詳しくは後述する。
【００２０】
回収扉１７は、紙幣カセット６における紙幣収納体９に収納した紙幣Ｂを係員が取り出すために設けられた扉である。シリンダ錠１８は、回収扉１７を施錠するために設けられた錠であり、通常は施錠されている。そして、現金センターに搬送した紙幣カセット６から紙幣を回収する際、紙幣カセット６は、図２（ｂ）のように天地を逆にして載置され、シリンダ錠１８を鍵にて開錠して回収扉１７を開き、収納紙幣が取り出される。
【００２１】
この他、紙幣カセット６は、長尺材としての一対のワイヤー１２を紙幣取込部８から下端装着体２０に掛け渡して備える。図３はワイヤー１２の配設の様子を紙幣カセット６を透視して概略的に示す説明図、図４はワイヤー１２の配設の様子を紙幣収納体９に収納済み紙幣Ｂや紙幣ガイドシャフト１４と関連付けて示す説明図である。図３に示すように、それぞれのワイヤー１２は、紙幣収納体９の外側において、紙幣取込部８から下端装着体２０に掛けて延びる。その上で、それぞれのワイヤー１２は、一端が紙幣取込部８に固定金具１２ｔで固定され、下端装着体２０を経由して紙幣収納体９をループ状に取り囲み、他端において、紙幣取込部８に配設された巻取ローラー１２ｂに巻き取られる。こうしたワイヤーのループ配設を行うに当たり、ワイヤー１２は、下端装着体２０の一方端側のワイヤー挿入孔２０ｈを通過して、紙幣収納体９の下端、即ち下端装着体２０にて従動回転する一対の案内ローラー１２ａに受け止められ、他端のワイヤー挿入孔２０ｈから紙幣取込部８に到る。この場合、案内ローラー１２ａは、後述の紙幣ガイドプレート２６と干渉しないよう、配設されている。そして、ワイヤー１２は、紙幣取込部８のワイヤー挿入孔８ｈを通過して、巻取ローラー１２ｂに巻取可能に装着される。
【００２２】
巻取ローラー１２ｂには、紙幣取込部８に配設された巻取モーター１２ｃの回転が伝達され、この巻取モーター１２ｃは、本体制御部５（図１参照）の制御を受けて、後述する所定のタイミングで駆動する。紙幣カセット６への紙幣収納が継続されている間において、巻取ローラー１２ｂはいわゆるフリーの状態とされているので、ワイヤー１２は、昇降台１３の降下に伴い巻取モーター１２ｃから繰り出され、下端装着体２０は昇降台１３と共に降下する。また、巻取ローラー１２ｂは、巻取モーター１２ｃの回転駆動力を受けて回転し、ワイヤー１２を巻き取る。つまり、巻取ローラー１２ｂは、本体制御部５の制御を受けて駆動する巻取モーター１２ｃと共同して、紙幣収納体９の伸縮に合わせたワイヤー１２の巻取と繰り出しとを行う。巻取モーター１２ｃについては、これを上記したように紙幣取込部８に設けるほか、収容部４０に設けて、ガイドフレーム４１に紙幣カセット６がセットされた状態において、巻取ローラー１２ｂに駆動力が伝達できるようにしてもよい。こうすれば、紙幣カセット６の軽量化が可能となる。
【００２３】
一対のワイヤー１２は、図４に示すように、紙幣収納体９に収納された紙幣Ｂの長手方向の異なる箇所において上記したように離間して配設されており、巻取ローラー１２ｂでの巻取に伴い、下端装着体２０を紙幣取込部８の側に持ち上げる。これにより、紙幣収納体９は、その内容積を紙幣Ｂの積層方向に収縮する。また、一対のワイヤー１２は、巻取ローラー１２ｂの逆回転に伴う繰り出し、或いは、フリーの状態にある巻取ローラー１２ｂから繰り出しにより、下端装着体２０をその自重により紙幣取込部８から離間させる。これにより、紙幣収納体９は、その内容積を紙幣Ｂの積層方向に伸張する。また、一対のワイヤー１２は、巻取ローラー１２ｂが後述のロック機構や巻取モーター１２ｃの停止制御によりその回転を停止している間において、巻取も繰り出しもなされないので、この間において、下端装着体２０を停止保持すると友に、紙幣収納体９については、その伸縮状態を維持する。また、紙幣収納体９の伸縮に関与する一対のワイヤー１２は、後述の紙幣ガイドシャフト１４と干渉しないよう、配設されている。
【００２４】
次に、収容部４０について、紙幣カセット６と関連付けて説明する。図５は収容部４０に紙幣カセット６がセットされた状態を模式的に示す説明図である。図５は、図１の左側面から保管部４を見た状態を示している。収容部４０は、複数の紙幣ガイドシャフト１４と、昇降部１５と、ガイドフレーム４１とを備える。
【００２５】
昇降部１５は、昇降台１３と、昇降台１３を昇降させる駆動機構とを備えている。駆動機構は、収容部４０において上下に延びて駆動する無端ベルト１５ｖと、昇降駆動モーター２９とを備え、昇降部１５は、この駆動機構により、紙幣カセット６における紙幣収納体９の下端の下端装着体２０を昇降台１３を介して昇降させることができる。昇降台１３にはボールキャッチ受け１９が備えられ、下端装着体２０に備えられたボールキャッチ１１と連結可能となっている。紙幣カセット６のセット時において、係員は、収容部４０におけるガイドフレーム４１の上方から下方へ紙幣カセット６を押し込み、ボールキャッチ１１とボールキャッチ受け１９にて紙幣カセット６と昇降台１３とを連結させることにより、紙幣カセット６を収容部４０のガイドフレーム４１へ収容する。なお、紙幣カセット６をセットする際、紙幣カセット６の中に、紙幣は収容されていない。また、収容部４０は、図示しない下面の案内レールに案内されて、紙幣収納装置１の手前側に引き出され、この状態で紙幣カセット６の取り外し並びにセットがなされる。
【００２６】
紙幣ガイドシャフト１４は、昇降台１３を貫通した上で、収容部４０の下部（底面側）から紙幣取込部８の側に向かって設置されている。紙幣カセット６が収容部４０へ取り付けられる際、紙幣ガイドシャフト１４は、紙幣カセット６の下端装着体２０が備える複数の穴１４Ａ（図２（ｂ）参照）に挿入され、紙幣取込部８から紙幣収納体９に取り込まれた紙幣Ｂを、図４に示すように、紙幣長手方向において取り囲む。なお、この紙幣ガイドシャフト１４を、紙幣Ｂの短辺においても取り囲むようにできる。この紙幣ガイドシャフト１４は、図５に示すように、紙幣取込部８の内部まで延びているので、紙幣カセット６に取り込まれる紙幣Ｂを、紙幣収納体９の内部において整然と集積できるようにガイドすると共に、下端装着体２０についても、これを昇降ガイドする。
【００２７】
ガイドフレーム４１は、紙幣カセット６を取り囲む側壁を形成し、上端を開口状としている。ガイドフレーム４１の幅および奥行きは、紙幣収納体９よりも大きく、かつ、紙幣取込部８よりも小さい。また、ガイドフレーム４１の上端開口は、その幅および奥行きが紙幣取込部８よりも大きくされ、上端開口の深さは、紙幣取込部８の高さとほぼ同寸とされている。このため、紙幣取込部８は、その下端部がガイドフレーム４１の上端開口周縁で支えることにより、紙幣カセット６を構成する紙幣収納体９とその下端の下端装着体２０を保持し、紙幣カセット６を位置決めセットする。
【００２８】
この図５に示すように、紙幣カセット６は、紙幣取込部８に巻取ロック１２ｄを実装して備える。この巻取ロック１２ｄは、メカ的に駆動して巻取ローラー１２ｂの巻取ロックとその解除を行うよう構成されている。そして、紙幣カセット６が収容部４０のガイドフレーム４１にセットされ、この状態で、収容部４０が保管部４ごと紙幣収納装置１に押し込みセットされると、巻取ロック１２ｄは、巻取ローラー１２ｂの巻取ロックを解除する。この逆に、紙幣カセット６への紙幣Ｂの収納が完了して、紙幣カセット６が収容部４０ごと紙幣収納装置１から引き出されると、巻取ロック１２ｄは、巻取ローラー１２ｂの巻取をロックする。なお、巻取ロック１２ｄをソレノイド等にて電気的に駆動するよう構成し、本体制御部５の制御により、巻取ロック１２ｄによる巻取ロックとその解除を行うようにしてもよい。
【００２９】
次に、紙幣収納装置１における紙幣Ｂの収納動作について説明する。図６は入金時の紙幣収納装置１の動作を示す説明図である。入金時の紙幣収納装置１の動作は、本体制御部５により制御される。
【００３０】
図１に示す紙幣計数部２の入金口２２に投入された紙幣Ｂは、図６に示すように、１枚ずつ搬送路２３に繰り出される。搬送路２３に繰り出された紙幣Ｂは、図中の矢印方向に搬送され、紙幣Ｂを判別できる紙幣判別部２４にて金種および枚数を確定された後、入金確定まで保管する場所である一時保留部２５に一旦収納される。その後、入金の確定を本体制御部５が検知すると、一時保留部２５に収納した紙幣は、１枚ずつ紙幣カセット６に収納される。
【００３１】
図７は収容部４０における紙幣カセット６の状態を紙幣収納の推移と共に示す説明図である。一時保留部２５から搬送された紙幣は、紙幣カセット内に１枚ずつ集積される（図７（ａ）参照）。紙幣カセット６内の紙幣の枚数が増えて集積高さが上がると、紙幣取込部８に設けられて上下に移動可能な紙幣ガイドプレート２６が集積紙幣によって押し上げられて上昇する（図７（ｂ）参照）。この紙幣ガイドプレート２６は、収容部４０の側に設けられてセンサー光軸を紙幣取込部８の貫通穴２７（図２参照）に位置させる紙幣集積検知センサー２８のセンサー光を、集積紙幣に伴う上昇により遮蔽する。
【００３２】
この結果、貫通穴２７によって紙幣取込部８の内部まで届いていた紙幣集積検知センサー２８のセンサー光を、紙幣ガイドプレート２６が反射させることにより、本体制御部５は、収容部４０に設置された昇降駆動モーター２９にて昇降台１３を下降させる。この昇降台降下の間において、巻取ローラー１２ｂは既述したようにフリーであることから、ワイヤー１２が巻取ローラー１２ｂから繰り出されて伸張し、下端装着体２０は、昇降台１３と共に降下し、紙幣収納体９は伸張する。この紙幣収納体９の伸張により、それまで紙幣ガイドプレート２６を押し上げていた紙幣Ｂは降下し、紙幣ガイドプレート２６にあっても降下することから、この紙幣ガイドプレート２６は、紙幣集積検知センサー２８の光軸から外れる（図７（ｃ）参照）。こうして紙幣集積検知センサー２８による検知が可能となると、本体制御部５は、昇降台１３の降下を停止するので、紙幣カセット６は、紙幣収納体９が伸張した状態のまま下端装着体２０が昇降台１３に載置した状態で留まる。その後、次の紙幣集積が開始され、上記動作が繰り返される。なお、紙幣Ｂと紙幣収納体９の間には紙幣ガイドシャフト１４があるため（図４参照）、紙幣Ｂは、紙幣収納体９と触れることなく、この紙幣収納体９において整然と集積される。また、下端装着体２０にあっても、紙幣ガイドシャフト１４にガイドされつつ昇降する。
【００３３】
収容部４０は、その下部に紙幣満杯検知センサー３０を備え、この紙幣満杯検知センサー３０は、昇降台１３の検知箇所までの降下により、紙幣収納体９が所定の位置まで伸長したことを検知し、その検知信号を本体制御部５に送信する。本体制御部５は、紙幣満杯検知センサー３０から検知信号の入力を受けて、昇降台１３の降下を停止する。これにより、紙幣収納装置１は、紙幣カセット６の紙幣収納容量を超える前に、昇降台１３の降下並びにワイヤー１２の繰り出しを伴う紙幣収納動作を停止し、紙幣カセット６は、その紙幣収納体９に所定の集積枚数の紙幣Ｂを収納する。なお、本体制御部５は、紙幣満杯検知センサー３０から検知信号の入力を受けて、紙幣Ｂの紙幣収納装置１への入金についても、これを停止する。
【００３４】
こうして紙幣カセット６に所定の集積枚数の紙幣Ｂが収納されて紙幣収納が完了すると、本体制御部５は、巻取モーター１２ｃには、ワイヤー１２の巻取のための駆動信号を出力し、昇降部１５の昇降駆動モーター２９には、ワイヤー１２の巻取長さに適合した昇降台１３の上昇駆動信号を出力する。これにより、ワイヤー１２は、巻取ローラー１２ｂに所定の巻取量だけ巻き取られ、この巻取量に対応して、下端装着体２０が紙幣取込部８の側に持ち上げられる。この際、昇降台１３にあっても、昇降駆動モーター２９により下端装着体２０の持ち上げ分だけ上昇する。よって、紙幣カセット６は、交換時の紙幣カセット取外前にワイヤー１２を巻くことで、集積された紙幣を圧縮して紙幣カセット高さが低くなった状態とし、係員によるカセット交換を待機する。
【００３５】
本体制御部５は、紙幣収容が完了した旨を紙幣収納装置１の図示しない報知ランプにて報知したり、図示しないインターネット回線を経て保守管理部署に報知するので、係員は、既述したように保管部４を解錠して収容部４０を紙幣収納装置１から引き出し、紙幣収容済みの紙幣カセット６を空の紙幣カセット６と交換する。このカセット交換の際、係員により、下端装着体２０のボールキャッチ１１と昇降台１３のボールキャッチ受け１９との連結が解かれる。
【００３６】
図８は集積紙幣を取り除いた空の紙幣カセット６の様子を概略的に示す説明図である。図示するように、空の紙幣カセット６は、紙幣取込部８に備える巻取モーター１２ｃのワイヤー巻き上げ駆動を経て、紙幣収納体９が最大に縮んだ状態とされている。よって、係員は、この図８に示す状態の紙幣カセット６を、紙幣収納完了状態の済みの紙幣カセット６に交換し、空の紙幣カセット６は、収容部４０のガイドフレーム４１にセットされる。カセット交換のための収容部４０の引き出しの際、紙幣カセット６の紙幣取込部８では、巻取ロック１２ｄによるワイヤー１２の巻取ロックがなされる。よって、交換対象となる紙幣収容済みの紙幣カセット６は、集積紙幣を圧縮済みでカセット高さが低くなった状態のまま、係員に取り扱われ、現金回収センター等に運搬される。なお、巻取ロック１２ｄによる巻取ロックは、上記したワイヤー１２の巻取完了後に行うようにしてもよい。
【００３７】
以上説明した構成を備える本実施形態の紙幣収納装置１によれば、紙幣カセット６が備える紙幣収納体９に集積収納された紙幣Ｂの量に応じた昇降台１３の降下と、昇降台１３の降下に伴うワイヤー１２の繰り出しとにより、紙幣収納体９にこの紙幣収納体９を伸張させつつ紙幣Ｂを集積収納できる。これに加え、昇降台１３の上昇に合わせたワイヤー１２の巻き取りにより、紙幣収納体９をその伸縮状態を維持したまま、紙幣取込部８や下端装着体２０と一体とする。しかも、紙幣収納体９に収納済みの紙幣Ｂへのアクセスは、紙幣収納体９の上端に装着された紙幣取込部８により制限される。この結果、本実施形態の紙幣収納装置１によれば、伸縮可能なカセット形態を採った上で、収納済み紙幣Ｂへのアクセスを制限してセキュリティー対策が可能となる。
【００３８】
本実施形態の紙幣収納装置１によれば、ワイヤー１２の巻取により蛇腹状の紙幣収納体９を収納した紙幣の容量に合わせて折り畳むことで、紙幣カセット６の紙幣収納装置１からの取り外しの際や、収納済み紙幣カセット６のセンターへの運搬の際に小型にすることができる。よって、カセット取り外し操作や運搬の際の取扱が簡便となる。しかも、紙幣収納体９が柔軟な材質で形成しているため軽量で、かつ破損し難い。
【００３９】
本実施形態の紙幣収納装置１によれば、紙幣収納体９を貫通する紙幣ガイドシャフト１４を備えているため紙幣Ｂを紙幣収納体９において整然と揃えることができる。また、開口部３１は、長辺が１７０ｍｍであり、短辺が５ｍｍであり、回収扉１７は、通常時、シリンダ錠１８で施錠されているため、防犯上において有益である。
【００４０】
本実施形態の紙幣収納装置１によれば、紙幣Ｂを取り除いた後の空の紙幣カセット６の状態でのワイヤー１２の巻取により、図８に示すように、カセット高さを、紙幣取込部８と下端装着体２０の高さに折り畳み済みの紙幣収納体９の高さを加えた最小高さに維持できる。よって、紙幣カセット取外し時にも紙幣収納済みの紙幣カセット６の高さを最小に保持することができ、カセット交換作業や運搬作業が簡便となる。また、紙幣カセット単体時に、収納済み紙幣に触手できる開口部が無く、鍵付きの回収扉１７からのみで触手が可能であるためセキュリティー確保の上からも有益となる。
【００４１】
本実施形態の紙幣収納装置１は、一対のワイヤー１２を、一端が固定金具１２ｔにより紙幣取込部８に固定し、その上で、下端装着体２０を経由して紙幣収納体９をループ状に取り囲み、他端において巻取モーター１２ｃに巻き取る。よって、ワイヤー１２の他端側での巻取で済むため、簡便となる。
【００４２】
本実施形態の紙幣収納装置１は、一対のワイヤー１２を、紙幣収納体９に収納された紙幣Ｂの長手方向の異なる箇所に備えて、各箇所で延びるワイヤー１２を巻取モーター１２ｃで巻き取る。よって、安定して紙幣収納体９を収縮させた上で、下端装着体２０を紙幣取込部８の側に安定して引き寄せて、カセット高さを確実、且つ容易に小さくできる。
【００４３】
本実施形態の紙幣収納装置１は、本体制御部５の制御を受けた巻取ローラー１２ｂによるワイヤー１２の巻取を、紙幣収納体９への紙幣収納の完了時において実行する。その上で、紙幣収納体９に収納済み紙幣が圧縮されるようにワイヤー１２を巻き取った後でカセット取り外し前に、ワイヤー巻取を巻取ロック１２ｄによりロックする。よって、本実施形態の紙幣収納装置１によれば、紙幣収納済み紙幣カセット６の運搬中にワイヤー１２が緩むようなことがないので、運搬作業が簡便となる。
【００４４】
次に、他の実施形態について説明する。図９は他の実施形態の紙幣カセット６におけるワイヤー１２の配設の様子を紙幣カセット６を透視して概略的に示す説明図である。図示するように、この実施形態では、一対のワイヤー１２は、ワイヤー挿入孔２０ｈの外側で連結され、その連結箇所から端部ワイヤー１２ｅを巻取ローラー１２ｂまで延ばしている。この実施形態であっても、ワイヤー１２にて紙幣収納体９をループ状に取り囲み、端部ワイヤー１２ｅの巻取により紙幣収納体９の折り畳みとカセット高さ維持等を図ることができる。
【００４５】
図１０はまた別の実施形態の紙幣カセット６Ａとこれを収容する収容部４０Ａとを図５相当に模式的に示す説明図、図１１は収容部４０Ａにおける紙幣カセット６Ａの状態を紙幣収納の推移と共に示す説明図である。図示するように、この実施形態は、既述した昇降台１３を用いること無く、紙幣収納に応じた紙幣収納体９の伸縮をワイヤー１２にて行う点に特徴があるが、紙幣カセット６Ａのハード構成は、図２〜図４で説明した紙幣カセット６と同様である。そして、この紙幣カセット６Ａは、巻取ローラー１２ｂをフリーな状態とはしないで、巻取モーター１２ｃ（図３参照）と正逆回転駆動し、その正逆回転を巻取ローラー１２ｂに伝達して、巻取ローラー１２ｂによるワイヤー１２の巻取と繰り出し、並びにワイヤー１２の伸張状態維持とを図る。
【００４６】
図１０に示すように、収容部４０Ａは、昇降台１３を含む昇降部１５を備えず、ガイドフレーム４１に、既述したように紙幣カセット６Ａを保持する。図１０は、空の紙幣カセット６Ａ（図８参照）が収容部４０Ａにセットされた直後の状態を示している。このカセットセット状態において、紙幣カセット６Ａでは、巻取ロック１２ｄのロックが解除され、一対のワイヤー１２は、巻取モーター１２ｃの逆転駆動を介して所定量だけ巻取ローラー１２ｂから繰り出される。このワイヤー繰り出しに相当するだけ、下端装着体２０は、紙幣収納体９を伸張させて降下し、紙幣カセット６Ａは、紙幣Ｂの収納を待機する。紙幣Ｂが紙幣取込部８により紙幣収納体９に取り込まれると、昇降台１３を備えた場合と同様に、その紙幣Ｂは、紙幣カセット内に１枚ずつ集積される（図１０（ａ）参照）。紙幣カセット６内の紙幣の枚数が増えて集積高さが上がると、既述したように紙幣ガイドプレート２６の集積紙幣による押し上げを経て（図１０（ｂ）参照）、紙幣集積検知センサー２８のセンサー光が遮蔽され、これを契機に、本体制御部５は、巻取モーター１２ｃを逆転駆動して、ワイヤー１２を巻取ローラー１２ｂから繰り出す。このワイヤー繰り出しに相当するだけ、下端装着体２０は、紙幣収納体９を伸張させて降下する。この紙幣収納体９の伸張により、それまで紙幣ガイドプレート２６を押し上げていた紙幣Ｂは降下し、紙幣ガイドプレート２６にあっても降下することから、この紙幣ガイドプレート２６は、紙幣集積検知センサー２８の光軸から外れる（図１０（ｃ）参照）。こうして紙幣集積検知センサー２８による検知が可能となると、本体制御部５は、巻取モーター１２ｃを停止制御して、ワイヤー１２の繰り出しを停止するので、紙幣カセット６は、紙幣収納体９が伸張した状態のまま下端装着体２０と共に留まる。その後、次の紙幣集積が開始され、上記動作が繰り返される。なお、紙幣Ｂと紙幣収納体９の間には紙幣ガイドシャフト１４があるため（図４参照）、紙幣Ｂは、紙幣収納体９と触れることなく、この紙幣収納体９において整然と集積される。また、下端装着体２０にあっても、紙幣ガイドシャフト１４にガイドされつつ昇降する。
【００４７】
収容部４０Ａにあっても紙幣満杯検知センサー３０を備えるので、紙幣満杯検知センサー３０の検知箇所に下端装着体２０が降下すると、本体制御部５は、巻取モーター１２ｃを停止制御して、ワイヤー１２の繰り出し、並びにワイヤー繰り出しに伴う紙幣収納体９の伸張と下端装着体２０の降下を停止する。これにより、紙幣収納装置１は、紙幣カセット６の紙幣収納容量を超える前に、ワイヤー１２の繰り出しを伴う紙幣収納動作を停止し、紙幣カセット６は、その紙幣収納体９に所定の集積枚数の紙幣Ｂを収納する。
【００４８】
こうして紙幣カセット６Ａに所定の集積枚数の紙幣Ｂが収納されて紙幣収納が完了すると、本体制御部５は、巻取モーター１２ｃに、ワイヤー１２の巻取のための駆動信号を出力して、ワイヤー１２を巻き取り、下端装着体２０は、紙幣収納体９をワイヤー巻取量に対応した分だけ紙幣取込部８の側に持ち上げる。よって、紙幣カセット６Ａは、交換時の紙幣カセット取外前にワイヤー１２を巻くことで、集積された紙幣を圧縮して紙幣カセット高さが低くなった状態とし、係員によるカセット交換を待機する。
【００４９】
以上より、紙幣カセット６Ａによっても、既述した効果を奏することができる。また、この紙幣カセット６Ａを用いる紙幣収納装置１によれば、紙幣カセット６Ａだけで、紙幣収納体９の伸縮を図ることができるので、構成の簡略化、低コスト化を図ることができる。また、ワイヤー１２の巻取と繰り出しによる下端装着体２０の昇降を図る際、紙幣ガイドシャフト１４により下端装着体２０の昇降をガイドするので、安定して、下端装着体２０を単独で昇降できる。
【００５０】
図１２は変形例の紙幣カセット６Ｂを図３相当に概略的に示す説明図である。この紙幣カセット６Ｂは、ワイヤー１２に代えて、ベルト体１２Ｂを用い、このベルト体１２Ｂを、既述したワイヤー１２と同様にして、紙幣収納体９の外側において、ループ状に紙幣取込部８から下端装着体２０に掛けて延び、紙幣収納体９の伸縮に合わせて巻取ローラー１２ｂでの巻取と繰り出しとを受ける。この紙幣カセット６Ｂによっても、既述した効果を奏することができる。ベルト体１２Ｂは、下端装着体２０の昇降に耐える強度を備えればよく、スチール等の金属製のベルトの他、引っ張り強度を備えた布製や樹脂製のベルトとしてもよい。
【００５１】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【００５２】
上述の実施形態において、紙幣カセットについて説明している。しかし、本発明はこれに限られず、硬貨カセットに用いてもよい。
【００５３】
上述の実施形態において、一対のワイヤー１２を共通する巻取ローラー１２ｂに巻き取るようにしたが、ワイヤーごとの巻取ローラーに巻き取るようにしてもよい。また、ワイヤー１２を、引っ張り強度を備えた布製や樹脂製のロープとしてもよい。
【００５４】
この他、ワイヤー１２やベルト体１２Ｂを、紙幣収納体９の外側において、一端を下端装着体２０に固定し、他端側で紙幣取込部８にて巻き取るようにし、この固定・巻取を、図２に示す紙幣取込部８の４箇所で個別に行うようにしてもよい。また、ワイヤー１２やベルト体１２Ｂを、紙幣収納体９の外側において、紙幣Ｂの短辺側と長辺側の２箇所でクロスして、それぞれが紙幣収納体９から下端装着体２０に掛けてループ状に延びるようにしてもよい。
【符号の説明】
【００５５】
１…紙幣収納装置
２…紙幣計数部
３…硬貨計数部
４…保管部
５…本体制御部
６、６Ａ、６Ｂ…紙幣カセット
７…硬貨カセット
８…紙幣取込部
８ｈ…ワイヤー挿入孔
９…紙幣収納体
１０…取手
１１…ボールキャッチ
１２…ワイヤー
１２Ｂ…ベルト体
１２ａ…案内ローラー
１２ｂ…巻取ローラー
１２ｃ…巻取モーター
１２ｄ…巻取ロック
１２ｅ…端部ワイヤー
１２ｔ…固定金具
１３…昇降台
１４…紙幣ガイドシャフト
１４Ａ…穴
１５…昇降部
１５ｖ…無端ベルト
１７…回収扉
１８…シリンダ錠
１９…ボールキャッチ受け
２０…下端装着体
２０ｈ…ワイヤー挿入孔
２２…入金口
２３…搬送路
２４…紙幣判別部
２５…一時保留部
２６…紙幣ガイドプレート
２７…貫通穴
２８…紙幣集積検知センサー
２９…昇降駆動モーター
３０…紙幣満杯検知センサー
３１…開口部
４０…収容部
４１…ガイドフレーム
Ｂ…紙幣
【図１】
2016015003.tif 000003
【図２】
2016015003.tif 000004
【図３】
2016015003.tif 000005
【図４】
2016015003.tif 000006
【図５】
2016015003.tif 000007
【図６】
2016015003.tif 000008
【図７】
2016015003.tif 000009
【図８】
2016015003.tif 000010
【図９】
2016015003.tif 000011
【図１０】
2016015003.tif 000012
【図１１】
2016015003.tif 000013
【図１２】
2016015003.tif 000014